(57)【要約】【課題】旋盤のチャック装置は鋼鉄製（スチール製）のため重量が大きく、片持ち支持構造チャック装置では一定以上の重量の被加工素材（被切削素材）の加工、切削が不可能であり、振動も生じていた。【解決手段】チャック装置ＣＫのチャック装置本体ＭＢはマグネシウム合金ＡＺ３１材から構成され、チャック装置ＣＫのバックプレートＢＰはマグネシウム合金ＡＺ３１材から構成されている普通旋盤１。【選択図】図２
2010099822.tif 000002
【特許請求の範囲】
【請求項１】
マグネシウム合金製チャック装置本体と前記マグネシウム合金製チャック装置本体と一体的に構成されるマグネシウム合金製バックプレートからなるチャック装置で構成されるマグネシウム合金製部材を有するチャック装置を備えた旋盤。
【請求項２】
請求項１において、前記チャック装置の前記マグネシウム合金製チャック装置本体はアルミニウム、亜鉛、マンガン、ジルコニウムの少なくとも一つを含むマグネシウム合金から構成されることを特徴とするマグネシウム合金製部材を有するチャック装置を備えた旋盤。
【請求項３】
請求項１において、前記チャック装置の前記マグネシウム合金製バックプレートはアルミニウム、亜鉛、マンガン、ジルコニウムの少なくとも一つを含むマグネシウム合金から構成されることを特徴とするマグネシウム合金製部材を有するチャック装置を備えた旋盤。
【請求項４】
請求項１において、前記チャック装置の前記マグネシウム合金製チャック装置本体はアルミニウム、亜鉛、マンガン、ジルコニウムの少なくとも一つを含むマグネシウム合金から構成され、前記チャック装置の前記マグネシウム合金製バックプレートはアルミニウム、亜鉛、マンガン、ジルコニウムの少なくとも一つを含むマグネシウム合金から構成されることを特徴とするマグネシウム合金製部材を有するチャック装置を備えた旋盤。
【請求項５】
請求項１において、前記チャック装置の前記マグネシウム合金製チャック装置本体は少なくともアルミニウムと亜鉛を含むマグネシウム合金から構成されることを特徴とするマグネシウム合金製部材を有するチャック装置を備えた旋盤。
【請求項６】
請求項１において、前記チャック装置の前記マグネシウム合金製バックプレートは少なくともアルミニウムと亜鉛を含むマグネシウム合金から構成されることを特徴とするマグネシウム合金製部材を有するチャック装置を備えた旋盤。
【請求項７】
請求項１において、前記チャック装置の前記マグネシウム合金製チャック装置本体は少なくともアルミニウムと亜鉛を含むマグネシウム合金から構成され、前記チャック装置の前記マグネシウム合金製バックプレートは少なくともアルミニウムと亜鉛を含むマグネシウム合金から構成されることを特徴とするマグネシウム合金製部材を有するチャック装置を備えた旋盤。
【請求項８】
請求項１において、前記チャック装置の前記マグネシウム合金製チャック装置本体はマグネシウム合金ＡＺ３１材から構成されることを特徴とするマグネシウム合金製部材を有するチャック装置を備えた旋盤。
【請求項９】
請求項１において、前記チャック装置の前記マグネシウム合金製バックプレートはマグネシウム合金ＡＺ３１材から構成されることを特徴とするマグネシウム合金製部材を有するチャック装置を備えた旋盤。
【請求項１０】
請求項１において、前記チャック装置の前記マグネシウム合金製チャック装置本体はマグネシウム合金ＡＺ３１材から構成され、前記チャック装置の前記マグネシウム合金製バックプレートはマグネシウム合金ＡＺ３１材から構成されることを特徴とするマグネシウム合金製部材を有するチャック装置を備えた旋盤。
【請求項１１】
旋盤の主軸に装着されるチャック装置において、前記チャック装置がアルミニウム、亜鉛、マンガン、ジルコニウムの少なくとも一つを含むマグネシウム合金から構成されることを特徴とする旋盤のチャック装置。
【請求項１２】
旋盤の主軸に装着されるチャック装置、前記チャック装置はチャック装置本体と前記チャック装置本体と一体的に形成されるバックプレートからなるものにおいて、前記チャック装置の前記チャック装置本体がアルミニウム、亜鉛、マンガン、ジルコニウムの少なくとも一つを含むマグネシウム合金から構成されることを特徴とする旋盤のチャック装置。
【請求項１３】
旋盤の主軸に装着されるチャック装置、前記チャック装置はチャック装置本体と前記チャック装置本体と一体的に形成されるバックプレートからなるものにおいて、前記チャック装置の前記バックプレートがアルミニウム、亜鉛、マンガン、ジルコニウムの少なくとも一つを含むマグネシウム合金から構成されることを特徴とする旋盤のチャック装置。
【発明の詳細な説明】
【技術分野】
【０００１】  本発明は、マグネシウム合金製部材を有するチャック装置を備えた旋盤に関し、特にマグネシウム合金製部材を有して被加工素材（被切削素材）を保持、支持するチャック装置を備えた旋盤に関するものである。【０００２】  本発明は、マグネシウム合金製部材を有するスクロールチャック装置を備えた普通旋盤またはマグネシウム合金製部材を有するインデペンデントチャック装置等を備えた普通旋盤に関し、特にマグネシウム合金製部材を有して被加工素材（被切削素材）を固定するスクロールチャック装置またはマグネシウム合金製部材を有して被加工素材（被切削素材）を保持、支持するインデペンデントチャック装置等を備えた普通旋盤に関するものである。【０００３】  本発明は、マグネシウム合金製チャック本体とこのマグネシウム合金製チャック本体と一体的に構成されたマグネシウム合金製バックプレートを有するスクロールチャック装置を備えた普通旋盤またはマグネシウム合金製チャック本体とこのマグネシウム合金製チャック本体と一体的に構成されたマグネシウム合金製バックプレートを有するインデペンデントチャック装置等を備えた普通旋盤に関し、特にマグネシウム合金製チャック本体とこのマグネシウム合金製チャック本体と一体的に構成されたマグネシウム合金製バックプレートを有して被加工素材（被切削素材）を保持、支持するスクロールチャック装置またはマグネシウム合金製チャック本体とこのマグネシウム合金製チャック本体と一体的に構成されたマグネシウム合金製バックプレートを有して被加工素材（被切削素材）を保持、支持するインデペンデントチャック装置等を備えた普通旋盤に関するものである。
【背景技術】
【０００４】  普通旋盤に備えられたスクロールチャック装置またはインデペンデントチャック装置は、主軸に対して片持ち支持構造で構成されており、被加工素材（被切削素材）をこの片持ち支持構造のチャック装置で固定、保持する。従来の普通旋盤に備えられたスクロールチャック装置またはインデペンデントチャック装置は一般的に鋼鉄の材料から構成されている。結晶粒構造を有する鋼鉄製（スチール製）チャック装置はそれ自体大重量物であり、普通旋盤に大きな負荷振動をもたらす一要因になっていた。【０００５】  このようなスクロールチャック装置またはインデペンデントチャック装置を備えた従来の普通旋盤においては、チャック装置が重量物であり、またチャック装置が主軸に対して片持ち支持構造である制約もあって、普通旋盤では一定以上の重量物の被加工素材（被切削素材）の加工、切削が不可能であった。さらに、一定以上の重量の被加工素材（被切削素材）の加工、切削するためには、このような重量の被加工素材（被切削素材）をチャック装置で保持、支持ができる普通旋盤の主軸に対する被加工素材（被切削素材）の片持ち支持重量の向上および被加工素材（被切削素材）の加工性の向上が必要であった。【０００６】  また従来の普通旋盤のチャック装置は結晶粒構造を有する鋼鉄（スチール）材料で構成されているため耐アルカリ性が低かった。このため普通旋盤の加工作業に循環して使用する切削水（水溶性クーラント：冷却水）の耐用時間が短いものとなり、必然的に普通旋盤の加工作業用に多量の切削水（水溶性クーラント：冷却水）を必要としていた。【０００７】  一方、従来の工具を挟持するチャック装置として、例えば下記特許文献１に示されているチャック装置が知られている。【０００８】  この特許文献１に示されているチャック装置は、工具を挟持するもので、振動や衝撃を付与するハンマードリル、振動ドリル、ドライバードリル等の電動工具に使用されるチャック装置である。このチャック装置の本体の材料として、アルミニウム、マグネシウム、チタンおよびこれらの合金または合成樹脂もしくは繊維強化樹脂等の軽量部材が採用されている。【０００９】  この特許文献１に示されているチャック装置は、チャック装置の本体をマグネシウム、マグネシウム合金等の軽量部材で構成しているため、軽量で実用性に優れている。しかしながら、このような小形で軽量である工具挟持用チャック装置は、工作機械である普通旋盤に採用されている片持ち支持構造のチャック装置とは機構面からも機能面からも相容れないものである。
【特許文献１】特許第４０５３３０１号公報
【発明の開示】
【発明が解決しようとする課題】
【００１０】  本発明は、上記課題を解決するためになされたものであって、その目的とするところは、旋盤の主軸に対する被加工素材（被切削素材）の片持ち支持重量を向上できるマグネシウム合金製部材を有するチャック装置を備えた旋盤を提供することにある。【００１１】  本発明は、上記課題を解決するためになされたものであって、その目的とするところは、チャック装置による旋盤に生じる振動吸収力を大きくできるマグネシウム合金製部材を有するチャック装置を備えた旋盤を提供することにある。【００１２】  本発明は、上記課題を解決するためになされたものであって、その目的とするところは、チャック装置のすべり性を向上できるマグネシウム合金製部材を有するチャック装置を備えた旋盤を提供することにある。
【課題を解決するための手段】
【００１３】  本発明では、上記目的を達成するために、マグネシウム合金製チャック本体と前記マグネシウム合金製チャック本体と一体的に構成されるマグネシウム合金製バックプレートからなるチャック装置で構成されるマグネシウム合金製部材を有するチャック装置を備えた旋盤を提案する。【００１４】  本発明では、上記目的を達成するために、チャック装置のチャック装置本体はマグネシウム合金またはアルミニウム、亜鉛、マンガン、ジルコニウムの少なくとも一つを含むマグネシウム合金、またチャック装置のバックプレートはマグネシウム合金またはアルミニウム、亜鉛、マンガン、ジルコニウムの少なくとも一つを含むマグネシウム合金から構成されるチャック装置を備えた旋盤を提案する。【００１５】  本発明では、上記目的を達成するために、チャック装置のチャック装置本体は少なくともアルミニウムと亜鉛を含むマグネシウム合金、好適にはマグネシウム合金ＡＺ３１材、またチャック装置のバックプレートは少なくともアルミニウムと亜鉛を含むマグネシウム合金、好適にはマグネシウム合金ＡＺ３１材から構成されるチャック装置を備えた旋盤を提案する。
【発明の効果】
【００１６】  本発明によれば、旋盤の主軸に対する被加工素材（被切削素材）の片持ち支持重量を増加したマグネシウム合金製部材を有するチャック装置を備えた旋盤を得ることができた。【００１７】  本発明によれば、チャック装置に装着される被加工素材（被切削素材）の加工性を向上したマグネシウム合金製部材を有するチャック装置を備えた旋盤を得ることができた。【００１８】  本発明によれば、チャック装置による旋盤の振動吸収力を向上したマグネシウム合金製部材を有するチャック装置を備えた旋盤を得ることができた。【００１９】  本発明によれば、チャック装置の負荷振動を防止できるマグネシウム合金製部材を有するチャック装置を備えた旋盤を得ることができた。【００２０】  本発明によれば、チャック装置に装着される被加工素材（被切削素材）の重量物を支持、保持できるマグネシウム合金製部材を有するチャック装置を備えた旋盤を得ることができた。【００２１】  本発明によれば、旋盤の加工作業に使用する切削水（水溶性クーラント：冷却水）の使用量を最小限にできるマグネシウム合金製部材を有するチャック装置を備えた旋盤を得ることができた。【００２２】  本発明によれば、チャック装置の耐腐食性を向上したマグネシウム合金製部材を有するチャック装置を備えた旋盤を得ることができた。【００２３】  本発明によれば、チャック装置に装着される被加工素材（被切削素材）が加工し易い（切削し易い）マグネシウム合金製部材を有するチャック装置を備えた旋盤を得ることができた。【００２４】  本発明によれば、チャック装置のすべり性を向上したマグネシウム合金製部材を有するチャック装置を備えた旋盤を得ることができた。【００２５】  本発明によれば、チャック装置の耐摩擦性を向上したマグネシウム合金製部材を有するチャック装置を備えた旋盤を得ることができた。【００２６】  本発明によれば、軽量なチャック装置を取り付けられるマグネシウム合金製部材を有するチャック装置を備えた旋盤を得ることができた。【００２７】  本発明によれば、六方晶結晶構造材料で構成されたチャック装置を取り付けられるマグネシウム合金製部材を有するチャック装置を備えた旋盤を得ることができた。【００２８】  本発明によれば、チャック装置に装着される被加工素材（被切削素材）を小さな遠心力でもって加工できるマグネシウム合金製部材を有するチャック装置を備えた旋盤を得ることができた。【００２９】  本発明によれば、チャック装置の主軸に対する取り付け精度と精度維持を向上できるマグネシウム合金製部材を有するチャック装置を備えた旋盤を得ることができた。【００３０】  本発明によれば、チャック装置に装着される被加工素材（被切削素材）を最大加工能力（最大切削能力）で常時作業する必要のないマグネシウム合金製部材を有するチャック装置を備えた旋盤を得ることができた。【００３１】  本発明によれば、作業者の労働環境を改善したマグネシウム合金製部材を有するチャック装置を備えた旋盤を得ることができた。【００３２】  本発明のマグネシウム合金製部材を有するチャック装置を備えた旋盤としては、三つ爪チャック構成のスクロールチャック装置を備えた普通旋盤または四つ爪チャック構成のマグネシ��ム合金製部材を有するインデペンデントチャック装置を備えた普通旋盤等がある。【００３３】  本発明のマグネシウム合金製部材を有するチャック装置を備えた旋盤において、マグネシウム合金製部材を使用する構成要素としては、例えばマグネシウム合金チャック装置製本体とマグネシウム合金製バックプレートがある。場合により、チャック装置に載置されるマグネシウム合金製チャック装置本体とマグネシウム合金製バックプレート以外の構成要素、いいかえればマグネシウム合金製チャック装置本体とマグネシウム合金製バックプレートの空間に収納されるギヤ機構等をマグネシウム合金で構成してもよい。【００３４】  本発明のマグネシウム合金製部材を有するチャック装置を備えた旋盤において、マグネシウム合金は、アルミニウム、亜鉛、マンガン、ジルコニウム、希土類元素などの１種類以上の添加元素を含むマグネシウム合金、またはアルミニウム、亜鉛、マンガン、ジルコニウムの少なくとも一つを含むマグネシウム合金、あるいは少なくともアルミニウムと亜鉛を含むマグネシウム合金、特にマグネシウム合金ＡＺ３１材（Ｍｇ約９６％、Ａｌ約３％、Ｚｎ約１％を含有するＭｇ合金）を好適に採用できる。
【発明を実施するための最良の形態】
【００３５】  本発明のマグネシウム合金製部材を有するチャック装置を備えた旋盤の一実施例を図面に基づいて説明する。【００３６】  図１は、本発明の一実施例を示すマグネシウム合金製部材を有するチャック装置を備えた旋盤の概略図である。図１において、普通旋盤１はその基礎となるベッド２で往復台と往復台と切削工具支持台３を正確に平行移動させる案内面となっている。ベッド２の左側に主軸台４が位置している。このベッド２と主軸台４には、モータ５、プーリ６、主軸７および軸受装置８等が内蔵されている。主軸台４の右外方で主軸７の右端部周辺にスクロールチャック装置ＣＫが取り付けられている。スクロールチャック装置ＣＫは、主軸７に対して片持ち支持構造で取り付けられている。このスクロールチャック装置ＣＫに、例えば円筒ワークである被加工素材（被切削素材）が固定される。【００３７】  モ−タ５の駆動力がプーリ６に伝達され、軸受装置８に支持されたスクロールチャック装置ＣＫと被加工素材（被切削素材）が一体的に回転し、切削工具支持台３に取り付けられている切削工具により被加工素材（被切削素材）を加工、切削する。この実施例に示されている普通旋盤１は、森精機会社製造の型式ＭＳ−６５０であり、主軸７に本発明による改良したスクロールチャック装置ＣＫを取り付けている。【００３８】  図２は、本発明の一実施例を示すマグネシウム合金製部材を有するチャック装置を備えた旋盤のスクロールチャック装置の断面図である。スクロールチャック装置ＣＫは、主としてマグネシウム合金製チャック装置本体ＭＢとマグネシウム合金製バックプレートＢＰから構成されている。マグネシウム合金製バックプレートＢＰは、マグネシウム合金製チャック装置本体ＭＢに挿入、固定され、両者は一体的に構成された入れ子構造であるスクロールチャック装置ＣＫの大部分を占めている。【００３９】  なお、図２に示すスクロールチャック装置ＣＫは、マグネシウム合金製チャック装置本体ＭＢとマグネシウム合金製バックプレートＢＰ以外のマグネシウム合金製チャック装置本体ＭＢとマグネシウム合金製バックプレートＢＰの間に通常収納される公知の構成部品である例えばギヤ機構は省略して図示していない。【００４０】  図３は、本発明の一実施例を示すマグネシウム合金製部材を有するチャック装置を備えた旋盤のスクロールチャック装置の平面図である。図３は、スクロールチャック装置ＣＫのマグネシウム合金製チャック装置本体ＭＢの平面図でもある。図４は、図３のＩＶ−ＩＶ線に沿った断面図であり、スクロールチャック装置ＣＫのマグネシウム合金製チャック装置本体ＭＢ単体の断面図である。図５は、図３のＶ−Ｖ線に沿った断面図であり、スクロールチャック装置ＣＫのマグネシウム合金製チャック装置本体ＭＢ単体の断面図である。【００４１】  図３、図４および図５で示されるスクロールチャック装置ＣＫのマグネシウム合金製チャック装置本体ＭＢは、マグネシウム合金ＡＺ３１材（Ｍｇ約９６％、Ａｌ約３％、約Ｚｎ１％を含有する六方晶結晶構造を持つＭｇ合金）で構成されている。このマグネシウム合金製チャック装置本体ＭＢは、機械加工または鋳造工程で製作される。【００４２】  このマグネシウム合金製チャッ��装置本体ＭＢはハウジング１１、三つのスライド部１２と三つの爪１３を有している。隣接する二つのスライド部１２の間に、チャック開閉用ギヤの操作孔１４が形成されている。ハウジング１１は、その中央にワーク挿入孔１５、またマグネシウム合金製バックプレートＢＰの固定孔１６、旋盤１本体の主軸７への固定孔１７を有する。【００４３】  上述したスクロールチャック装置ＣＫのマグネシウム合金製チャック装置本体ＭＢは、一箇所のハンドルを回転して三つの爪１３を同時に開閉して、スクロールチャック装置ＣＫと被加工素材（被切削素材）の同心を出している。このスクロールチャック装置ＣＫの動作、操作は公知であるので特にここではその説明を省略する。【００４４】  上述したスクロールチャック装置ＣＫのマグネシウム合金製チャック装置本体ＭＢの大きさ（寸法）は、例えば直径１６２ｍｍ、横幅６５ｍｍである。また、マグネシウム合金チャック装置本体ＭＢの重量は、約３ｋｇと軽量であり、従来のチャック装置の鋼鉄製チャック装置本体の重量と比較しての約四分の一の重量であり軽量となっている。【００４５】  図６は、本発明の一実施例を示すマグネシウム合金製部材を有するチャック装置を備えた旋盤のスクロールチャック装置のマグネシウム合金製バックプレートの平面図である。図７は、図６のＶＩＩ−ＶＩＩ線に沿ったスクロールチャック装置ＣＫのマグネシウム合金製バックプレートＢＰ単体の断面図である。【００４６】  図６および図７で示されるスクロールチャック装置ＣＫのマグネシウム合金製バックプレートＢＰは、マグネシウム合金ＡＺ３１材（Ｍｇ約９６％、Ａｌ約３％、Ｚｎ約１％を含有する六方晶結晶構造を持つＭｇ合金）で構成されている。このマグネシウム合金製バックプレートＢＰは、機械加工または鋳造工程で製作される。【００４７】  このマグネシウム合金製バックプレートＢＰはマグネシウム合金製チャック装置本体ＭＢの挿入、固定され、両者は一体的に構成された入れ子構造であるスクロールチャック装置ＣＫを構成する。このマグネシウム合金製バックプレートＢＰは、主としてマグネシウム合金製バックプレート本体２１とマグネシウム合金製ガイド２２から構成されている。マグネシウム合金製バックプレート本体２１は、六つのギヤ固定孔２３を有している。【００４８】  上述したスクロールチャック装置ＣＫのマグネシウム合金製バックプレートＢＰの重量は、約１．６ｋｇで、従来のチャック装置の鋼鉄製バックプレートの重量と比較して約四分の一の重量となり軽量なマグネシウム合金製バックプレートＢＰである。【００４９】  ここで、本発明の一実施例を示すマグネシウム合金製部材を有するチャック装置を備えた旋盤の普通旋盤１の主軸７に装着、取り付ける被加工素材（被切削素材）の積載重量に関して検討する。本発明の一実施例を示すマグネシウム合金製部材を有するチャック装置を備えた普通旋盤１において、マグネシウム合金製チャック装置本体ＭＢとマグネシウム合金製バックプレートＢＰから構成されるスクロールチャック装置ＣＫは、従来の鋼鉄製のスクロールチャック装置に比較して約８ｋｇの軽量化を達成できた。【００５０】  従って、従来の最大積載荷重をさらに約８ｋｇ上回る被加工���材（被切削素材）の重量物をチャック装置に装着、取り付けて加工（切削）できる。このように、本発明のスクロールチャック装置ＣＫを普通旋盤１に採用すれば、スクロールチャック装置ＣＫに装着できる被加工素材（被切削素材）の積載量を約８ｋｇも増加でき、この増加した積載荷重を有する被加工素材（被切削素材）をスクロールチャック装置ＣＫに取り付け、保持、支持できる。【００５１】  上述した本発明のマグネシウム合金製部材を有するチャック装置を備えた旋盤の一実施例によれば、スクロールチャック装置ＣＫを主としてマグネシウム合金本体ＭＢとマグネシウム合金製バックプレートＢＰから構成したので、普通旋盤１の主軸７に対する被加工素材（被切削素材）の片持ち支持重量を約８ｋｇ増加したマグネシウム合金製部材を有するチャック装置を備えた旋盤を得ることができた。【００５２】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、一定以上の重量の被加工素材（被切削素材）を普通旋盤１の主軸７に支持、保持できるので、被加工素材（被切削素材）の積載重量範囲を拡張できるので、被加工素材（被切削素材）の加工範囲を拡大したマグネシウム合金製部材を有するチャック装置を備えた旋盤を得ることができた。【００５３】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、普通旋盤１のチャック装置による振動吸収力を大きくしたマグネシウム合金製部材を有するチャック装置を備えた旋盤を得ることができた。【００５４】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、普通旋盤１のチャック装置による負荷振動を小さくできるマグネシウム合金製部材を有するチャック装置を備えた旋盤を得ることができた。【００５５】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、普通旋盤１の主軸７に大重量の被加工素材（被切削素材）を支持、保持できるマグネシウム合金製部材を有するチャック装置を備えた旋盤を得ることができた。【００５６】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、六方晶結晶構造を有するマグネシウム合金ＡＺ３１材（Ｍｇ約９６％、Ａｌ約３％、Ｚｎ約１％を含有するＭｇ合金）の採用により、普通旋盤１の工作作業に使用する切削水（水溶性クーラント：冷却水）を使用量を最小限にできるマグネシウム���金製部材を有するチャック装置を備えた旋盤を得ることができた。【００５７】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、高い耐腐食性のスクロールチャック装置ＣＫを持つマグネシウム合金製部材を有するチャック装置を備えた旋盤を得ることができた。【００５８】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、普通旋盤１の主軸７に取り付けた被加工素材（被切削素材）が加工し易い（切削し易い）マグネシウム合金製部材を有するチャック装置を備えた旋盤を得ることができた。【００５９】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、スクロールチャック装置ＣＫのすべり性が向上したマグネシウム合金製部材を有するチャック装置を備えた旋盤を得ることができた。【００６０】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、耐摩擦性の高いスクロールチャック装置ＣＫを持つマグネシウム合金製部材を有するチャック装置を備えた旋盤を得ることができた。【００６１】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、軽量のスクロールチャック装置ＣＫを持つマグネシウム合金製部材を有するチャック装置を備えた旋盤を得ることができた。【００６２】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、六方晶結晶構造を有するスクロールチャック装置ＣＫが構成できるマグネシウム合金製部材を有するチャック装置を備えた旋盤を得ることができた。【００６３】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、普通旋盤１の主軸７に取り付ける被加工素材（被切削素材）を小さな遠心力でもって加工できるマグネシウム合金製部材を有するチャック装置を備えた旋盤を得ることができた。【００６４】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、スクロールチャック装置ＣＫの主軸７に対する取り付け精度と精度維持を向上できるマグネシウム合金製部材を有するチャック装置を備えた旋盤を得ることができた。【００６５】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、普通旋盤１の主軸７の取り付けた被加工素材（被切削素材）を常時最大加工能力（最大切削能力）で作業しないマグネシウム合金製部材を有するチャック装置を備えた旋盤を得ることができた。【００６６】  本発明のマグネシウム合金製部材を有するチャック装置を備えた旋盤の一実施例によれば、スクロールチャック装置ＣＫを主としてマグネシウム合金製チャック装置本体ＭＢとマグネシウム合金製バックプレートＢＰから構成したので、被加工素材（被切削素材）の最大負荷荷重（最大積載能力）の限界を伸ばすことができ、作業者にとって余裕ある加工作業ができるため労働環境を改善したマグネシウム合金製部材を有するチャック装置を備えた旋盤を得ることができた。
【図面の簡単な説明】
【００６７】
【図１】本発明の一実施例を示すマグネシウム合金製部材を有するチャック装置を備えた旋盤の概略図。
【図２】本発明の一実施例を示すマグネシウム合金製部材を有するチャック装置を備えた旋盤のスクロールチャック装置の断面図。
【図３】本発明の一実施例を示すマグネシウム合金製部材を有するチャック装置を備えた旋盤のスクロールチャック装置の平面図。
【図４】図３のＩＶ−ＩＶ線に沿った断面図。
【図５】図３のＶ−Ｖ線に沿った断面図であり、スクロールチャック装置のマグネシウム合金製チャック装置本体ＭＢの断面図。
【図６】本発明の一実施例を示すマグネシウム合金製部材を有するチャック装置を備えた旋盤のスクロールチャック装置のマグネシウム合金製バックプレートの平面図。
【図７】図６のＶＩＩ−ＶＩＩ線に沿ったスクロールチャック装置のマグネシウム合金製バックプレートの断面図。
【符号の説明】
【００６７】  １・・・普通旋盤
ＣＫ・・・スクロールチャック装置
ＭＢ・・・マグネシウム合金製チャック装置本体
ＢＰ・・・マグシウム合金製バックプレート。
【図１】
2010099822.tif 000003
【図２】
2010099822.tif 000004
【図３】
2010099822.tif 000005
【図４】
2010099822.tif 000006
【図５】
2010099822.tif 000007
【図６】
2010099822.tif 000008
【図７】
2010099822.tif 000009